(57)【要約】【課題】うがい鉢が着脱自在に装着されるスピットン装置において、うがい鉢が装着されているか否かを検出するセンサを設け、うがい鉢が装着されていないと判断された時は、うがい鉢洗浄水放出回路のバルブを自動的に閉め、メンテナンス時や診療時における水周りのトラブルを解消する。【解決手段】うがい鉢９を着脱自在に載置可能なうがい鉢受け部２’と、該うがい鉢受け部２’に装着されたうがい鉢にうがい鉢洗浄水を供給するうがい鉢洗浄管１０とを有する。うがい鉢受け部２’にうがい鉢９の有無を検出するセンサ１１を有し、該センサ１１によりうがい鉢無と判断された時は、前記うがい鉢洗浄水供給路のバルブ１３を閉じて、うがい鉢洗浄管１２から洗浄水が放水されないようにした。【選択図】図１
2010099129.tif 000002
【特許請求の範囲】
【請求項１】
うがい鉢を着脱自在に載置可能なうがい鉢受け部と、該うがい鉢受け部に装着されたうがい鉢にうがい鉢洗浄水を供給するうがい鉢洗浄管とを有するスピットン装置において、前記うがい鉢受け部にうがい鉢の有無を検出するセンサを有し、該センサによりうがい鉢無と判断された時は、前記うがい鉢洗浄水供給路のバルブを閉じて、前記うがい鉢洗浄管から洗浄水が放水されないようにしたことを特徴とする歯科治療装置におけるスピットン装置。
【請求項２】
前記うがい鉢受け部の下部に前記センサを有し、前記うがい鉢受け部に前記うがい鉢が適切に装着されていない場合に、前記センサはうがい鉢無を検知するようにしたことを特徴とする請求項１に記載の歯科治療装置におけるスピットン装置。
【請求項３】
前記センサがうがい鉢無を検出した時は、うがい鉢無を表示するようにしたことを特徴とする請求項１又は２に記載の歯科治療装置におけるスピットン装置。
【発明の詳細な説明】
【技術分野】
【０００１】
本発明は、歯科治療装置におけるスピットン装置、より詳細には、うがい鉢を着脱自在に装着可能なスピットン装置において、うがい鉢の有無を検出するセンサを設け、うがい鉢が装着されていないと判断された時又は適切に装着されていないと判断された時は、うがい鉢洗浄水が放水されないようにして、うがい鉢が無い状態でうがい水が放出されて、周囲が水浸しになってしまうのを防止するようにしたものである。
【背景技術】
【０００２】
図２は、本発明が適用されるスピットン装置を備えた歯科治療ユニットの一例を説明するための概略構成図で、該歯科治療ユニットは、歯科治療椅子１，スピットン装置２，給排水ボックス３，ワークテーブル４，インスツルメントホルダ５等から成り、インスツルメントホルダ５には、歯科治療において使用する種々のインスツルメント６が収納されており、周知のように、歯科治療に当り、患者は治療椅子１に座り、頭を安頭台に固定して治療を受ける。治療中、術者は治療椅子１を上下動，倒起動，傾斜動等させて、患者を治療しやすい姿勢にして治療を行う。
【０００３】
スピットン装置２は、うがい用コップ７にうがい水を噴出するためのうがい水給水管８，うがい鉢９にうがい鉢洗浄水を放出するうがい鉢洗浄水放出管１０等から成り、通常は、うがい時、スピットン装置２が矢印Ａ方向に回動され、患者がうがいしやすい位置に来るようにしている。
【０００４】
上述のごときスピットン装置において、うがい鉢９が着脱自在に装着されるようになっている場合、うがい鉢９が装着されていない状態でうがいをして、うがい用コップ７を元の位置（図示の位置）に戻した時、或いは、メンテナンス時に誤ってうがい鉢洗浄ボタンを押してしまったような場合に、うがい鉢洗浄水放出管１０から水が放出され、周囲が水浸しになってしまう等の問題があった。
【発明の開示】
【発明が解決しようとする課題】
【０００５】
本発明は、上述のごとき実情に鑑みてなされたもので、うがい鉢が着脱自在に装着されるスピットン装置において、うがい鉢が装着されているか否かを検出するセンサを設け、該センサによって、うがい鉢が装着されていないと判断された時は、うがい鉢洗浄水放出回路のバルブを自動的に閉めるようにし、メンテナンス時や診療時における水周りのトラブルを解消することを目的としてなされたものである。
【課題を解決するための手段】
【０００６】
請求項１の発明は、うがい鉢を着脱自在に載置可能なうがい鉢受け部と、該うがい鉢受け部に装着されたうがい鉢にうがい鉢洗浄水を供給するうがい鉢洗浄管とを有するスピットン装置において、前記うがい鉢受け部にうがい鉢の有無を検出するセンサを有し、該センサによりうがい鉢無と判断された時は、前記うがい鉢洗浄水供給路のバルブを閉じて、前記うがい鉢洗浄管から洗浄水が放水されないようにしたことを特徴としたものである。
【０００７】
請求項２の発明は、請求項１の発明において、前記うがい鉢受け部の下部に前記センサを有し、前記うがい鉢受け部に前記うがい鉢が適切に装着されていない場合に、前記センサはうがい鉢無を検知するようにしたことを特徴としたものである。
【０００８】
請求項３の発明は、請求項１又は２の発明において、前記センサがうがい鉢無を検出した時は、うがい鉢無を表示するようにしたことを特徴としたものである。
【発明の効果】
【０００９】
本発明によると、うがい鉢が着脱自在に装着されるスピットン装置において、うがい鉢が装着されているか否かを検出するセンサによって、うがい鉢が装着されていないと判断された時は、うがい鉢洗浄水放出回路のバルブを自動的に閉めるようにしたので、メンテナンス時や診療時における水周りのトラブルを解消することができる。
【発明を実施するための最良の形態】
【００１０】
本発明は、取り外し可能なうがい鉢の有無をうがい鉢受け部に取り付けたセンサで検出し、うがい鉢無と判断した時は、うがい鉢洗浄水供給バルブを閉じて水が出ないようにし、更には、ワークテーブル等の表示パネルにその旨表示し、また、うがい鉢検出センサを鉢受部の下部に設けることにより、うがい鉢の嵌り具合をも検知できるようにし、水漏れを事前に防ぐことができるようにしたものである。
【００１１】
図１は、本発明によるスピットン装置の一実施例を説明するための要部概略構成図で、本発明においては、うがい鉢９は、図示のように、スピットン装置２のうがい鉢受け部２’に着脱自在に装着できるようになっている。このうがい鉢受け部２’には、うがい鉢９が装着されているか否かを検出するセンサ１１を有し、このセンサ１１が、うがい鉢受け部２’にうがい鉢９が装着されていないと判断した時は、コントロール回路１２を作動して、うがい鉢洗浄水供給回路中に設けられたバルブ１３を閉め、うがい鉢洗浄水放出管１０から洗浄水が放水されないようにし、更には、うがい鉢９がうがい鉢受け部２’に装着されていないことを、例えば、ワークテーブル４等に設けられている表示パネルにて表示する。
【００１２】
従って、メンテナンス時にうがい鉢９がない状態で誤ってうがい鉢洗いボタンを押してしまった時やうがいコップ７を置いて給水してしまった時等に鉢洗いが作動して周囲が水浸しになってしまうようなことがなくなる。
【００１３】
また、うがい鉢の有無検出センサ１１をうがい鉢受け部２の下部に設けておく時は、うがい鉢のはまり具合を検知することができ、うがい鉢９が確実にうがい鉢受け部２’に嵌っていない時は、うがい鉢洗浄水が放出されないようにすることにより、水漏れを事前に防ぐことができる。
【００１４】
上述のように、本発明によると、センサにより、うがい鉢の有無を検出し、うがい鉢洗浄水回路のバルブを自動的に閉じるようにしたので、メンテナンス時や診療時の水周りのトラブルを解消することができる。
【図面の簡単な説明】
【００１５】
【図１】本発明によるスピットン装置の一実施例を説明するための要部構成図である。
【図２】本発明が適用されるスピットン装置を備えた歯科治療ユニットの一例を説明するための図である。
【符号の説明】
【００１６】
１…歯科治療椅子、２…スピットン装置、３…給排水ボックス、７…うがい用コップ、８…うがい水放出管、９…うがい鉢、１０…うがい鉢洗浄水放出管、１１…うがい鉢検出センサ、１２…バルブコントローラ、１３…うがい鉢洗浄回路用バルブ。
【図１】
2010099129.tif 000003
【図２】
2010099129.tif 000004